(57)【要約】【課題】地震が発生した際に、家電機器が設置された各場所へ移動せずに各家電機器の状態を略確実に把握することを可能にする表示装置を実現する。【解決手段】壁掛けＴＶ（１０）は、各据え置きＴＶとの通信が可能であり、設置状態検出部（１１）、外乱検出部（１２）および表示制御部（１７）を備えている。制御部（１７）は、ＴＶ（１０）が壁掛け状態にあると検出部（１１）が判定し、且つ、検出部（１２）が地震による振動を検出した場合に、各据え置きＴＶの状態情報を表示する。【選択図】図２
2014187661.tif 000002
【特許請求の範囲】
【請求項１】
１台以上の他の装置との通信が可能な表示装置において、
自装置が物体に固定されているか否かを判定する判定手段と、
地震による振動を検出する検出手段と、
自装置が上記物体に固定されていると判定した場合であって、尚且つ、上記振動を検出した場合に、上記１台以上の他の装置の各々について該装置を送信元とする状態情報であって該装置の現在の状態を示す状態情報を表示部に表示する表示制御手段と、を備えている、ことを特徴とする表示装置。
【請求項２】
上記他の装置を送信元とする状態情報には、該装置の電源がオンになっているか否かを示す情報、および、該装置が転倒しているか否かを示す情報のうちの一方または両方の情報が含まれている、ことを特徴とする、請求項１に記載の表示装置。
【請求項３】
上記他の装置は、外乱による振動を検出した場合に、振動を検出した旨を示す情報を上記表示装置に送信するように構成されている装置であり、
上記検出手段は、緊急警報放送と上記振動を検出した旨を示す情報とを同時期に受信した場合に、上記外乱による振動を上記地震による振動として検出するように構成されている、ことを特徴とする請求項１または２に記載の表示装置。
【請求項４】
上記表示制御手段は、上記他の装置の状態情報とともに、該装置の電源をオフにするための操作オブジェクトを上記表示部に表示するように構成され、
上記操作オブジェクトがユーザによって操作されたことを検出した場合に、該装置の電源をオフにする遠隔制御手段をさらに備えている、ことを特徴とする、請求項１から３のいずれか１項に記載の表示装置。
【請求項５】
自装置が上記物体に固定されていると判定した場合であって、尚且つ、上記振動を検出した場合に、上記他の装置に対し、該装置の状態情報を送信するように要求するリクエスト信号を送信する送信手段をさらに備えている、ことを特徴とする請求項１から４のいずれか１項に記載の表示装置。
【請求項６】
壁掛け機構を備えていることを特徴とする、請求項１から５のいずれか１項に記載の表示装置。
【請求項７】
１台以上の他の装置との通信が可能な表示装置の表示方法であって、
自装置が物体に固定されているか否かを判定する判定ステップと、
地震による振動を検出する検出ステップと、
自装置が上記物体に固定されていると判定した場合であって、尚且つ、上記振動を検出した場合に、上記１台以上の他の装置の各々について該装置を送信元とする状態情報であって該装置の現在の状態を示す状態情報を表示部に表示する表示制御ステップと、を含む、ことを特徴とする表示方法。
【請求項８】
請求項１から６のいずれか１項に記載の表示装置としてコンピュータを動作させるプログラムであって、コンピュータを上記の各手段として機能させるためのプログラム。
【請求項９】
請求項８に記載のプログラムを記録しているコンピュータ読み取り可能な記録媒体。
【発明の詳細な説明】
【技術分野】
【０００１】
本発明は、他の装置の状態を示す状態情報を表示する表示装置および表示方法に関する。また、本発明は、コンピュータをそのような表示装置として機能させるプログラム、および、そのようなプログラムが記録されているコンピュータ読み取り可能な記録媒体に関する。
【背景技術】
【０００２】
現在普及している家電機器の中には、通電状態のまま転倒すると、転倒したことを検知して、自動的に通電を遮断して動作を強制的に停止する機能を有するものも存在する。これは、転倒した姿勢など異常な姿勢あるいは破損した状態での動作（運転）によって、火災の発生などの虞があるためである。平時であれば、ユーザは、転倒した家電機器の動作が停止したことを直接確認して、転倒状態を解消することができる。
【０００３】
しかしながら、地震が発生した際には、家電機器のほとんどが落下する、あるいは転倒する可能性があり、火災による２次災害を防ぐために、ユーザが、すべての家電機器について、転倒したか否か、もし転倒している場合に通電は遮断され動作は停止しているのか否か、などを直接確認することは困難である。例えば、大規模な地震の発生時であれば、家具などの転倒あるいは物品の散乱などが想定される。その上、余震が発生する虞もあるので、ユーザが、家電機器が設置された各場所へ移動し、転倒した家電機器の動作が停止したことを直接確認することは危険である。
【０００４】
近年のテレビジョン（ＴＶ）放送では、地震などの発生に応じて緊急警報信号を各家庭の放送受信装置に迅速に配信する、緊急警報放送発令システム（ＥＷＳ：Emergency Warning System）が整備されている。これにより、発生した災害に関する重要な情報（ＥＷＳ放送）が、迅速に配信される。そして、ＥＷＳ放送により配信される情報を活用するための機能を備えるＴＶ機器としては、例えば以下のようなものが挙げられる。
【０００５】
特許文献１には、地震、火災、あるいはガス漏れなどを検知・報知する機能を備えるＴＶ受像機が開示されている。該ＴＶ受像機は、各設置場所において現実に検知された状況（震度など）に応じた適切な情報を、視聴者に直接報知することができる。該ＴＶ受像機は、さらに、報知すべき状況が生じたときに電源オフ状態になっていると、電源を自動的にオンに制御する機能を備える。
【０００６】
特許文献２には、放送信号中に挿入される緊急警報信号の受信に応じて、緊急警報放送の放送内容を表示可能な状態となるように動作するＴＶ受像機であって、傾斜センサなどの外乱検出手段を備え、外乱検出手段により外乱が検出された時には、以降において少なくとも表示ディスプレイ部の駆動電源がオンされないように制御するＴＶ受像機が開示されている。例えば、地震の発生によってＴＶ受像機に外乱が生じたときに緊急警報信号が受信されたとしても、該ＴＶ受像機は緊急警報放送の放送内容を表示可能な状態に遷移せず、発煙や発火などといった電気的なトラブルの発生を確実に防止することができる。
【先行技術文献】
【特許文献】
【０００７】
【特許文献１】特開平０７−２２２０７０号公報（１９９５年  ８月１８日公開）
【特許文献２】特開２００６−３１９８７７号公報（２００６年１１月２４日公開）
【発明の概要】
【発明が解決しようとする課題】
【０００８】
しかしながら、上述のような従来技術を用いても、ユーザは、火災による２次災害を確実に防ぐためには、家電機器が設置された各場所に移動するという危険を冒して各家電機器の状態を確認する必要がある。例えば、特許文献２に記載のＴＶ受像機では、地震によって落下・転倒した場合、発煙や発火などといった電気的なトラブルの原因となり得る表示ディスプレイ部の駆動電源がオンされないように駆動電源の制御を行うが、落下や転倒による衝撃が原因で前記制御の機能が失われてしまう可能性もゼロではない。したがって、火災による２次災害を確実に防ぐためには、結局のところ、各家電機器の状態を確認するために、家電機器が設置された各場所に移動しなければならない。
【０００９】
本発明は、上記の課題に鑑みて成されたものであり、その主な目的は、地震発生時の家具等が転倒した状況において、家電機器が設置された各場所へ移動するという危険を冒すことなくユーザが各家電機器の状態を略確実に把握することを可能にする表示装置を実現することにある。
【課題を解決するための手段】
【００１０】
上記の課題を解決するために、本発明の一態様に係る表示装置は、１台以上の他の装置との通信が可能な表示装置において、自装置が物体に固定されているか否かを判定する判定手段と、地震による振動を検出する検出手段と、自装置が上記物体に固定されていると判定した場合であって、尚且つ、上記振動を検出した場合に、上記１台以上の他の装置の各々について該装置を送信元とする状態情報であって該装置の現在の状態を示す状態情報を表示部に表示する表示制御手段と、を備えている。
【００１１】
また、本発明の一態様に係る表示装置の制御方法は、１台以上の他の装置との通信が可能な表示装置の制御方法であって、自装置が物体に固定されているか否かを判定する判定ステップと、地震による振動を検出する検出ステップと、自装置が上記物体に固定されていると判定した場合であって、尚且つ、上記振動を検出した場合に、上記１台以上の他の装置の各々について該装置を送信元とする状態情報であって該装置の現在の状態を示す状態情報を表示部に表示する表示制御ステップと、を含んでいる。
【発明の効果】
【００１２】
本発明の一態様によれば、表示装置は、地震発生時の家具等が転倒した状況において、家電機器が設置された各場所へ移動するという危険を冒すことなくユーザが各家電機器の状態を略確実に把握することを可能にするという効果を奏する。
【図面の簡単な説明】
【００１３】
【図１】本発明の各実施形態に係る壁掛けテレビと、壁掛けテレビに登録されている据え置きテレビと、家のどの部屋に配置されているかを概略的に示した図である。
【図２】本発明の一実施形態に係る壁掛けテレビの概略構成を例示するブロック図である。
【図３】図２の壁掛けテレビの動作を示すフローチャート図である。
【図４】本発明の別の一実施形態に係る壁掛けテレビの動作を示すフローチャート図である。
【図５】本発明のさらに別の一実施形態に係る壁掛けテレビの動作を示すフローチャート図である。
【図６】図２の壁掛けテレビが表示する、地震発生時における各据え置きテレビの状態を示す状態表示画面の一例を概略的に示した図である。
【発明を実施するための形態】
【００１４】
〔実施形態１〕
以下、本発明の実施の形態について、詳細に説明する。なお、以下では、本発明の実施形態に係る表示装置が、壁掛け機構を備える壁掛けテレビ（壁掛けＴＶ）である場合を例に挙げて説明する。壁掛け機構にはスイッチが設けられており、壁掛けＴＶが壁掛け状態になるとスイッチがオンになる。すなわち、壁掛けＴＶは、スイッチがオンになっているかオフになっているかによって、自身が壁掛け状態になっているか否かを判断できるようになっている。なお、本発明の実施形態に係る表示装置は壁掛け機構により壁に固定されたものに限定されることはなく、外乱による振動などで容易に倒壊しない任意の物体（柱、耐震壁、天井など）に固定されたものであれば如何なる機構によって固定されてもよい。
【００１５】
図１は、壁掛けＴＶ１０の他に据え置きＴＶが設置されている住居１００を例に挙げて、本発明の実施形態１に係る壁掛けＴＶ１０を利用する場合の一例を示す図である。
【００１６】
図１において、壁掛けＴＶ１０は、耐震壁などに壁掛け機構により固定されたテレビであり、住居１００の１階に設置されている。住居１００には、その他、１階には据え置きＴＶ４０と、２階には据え置きＴＶ２０および据え置きＴＶ３０と、が設置されている。
【００１７】
上記の各ＴＶは、振動などを検出する加速度センサを備え、各テレビの設置場所における振動を検出する。また、上記の各ＴＶの情報（ネットワーク情報等）は壁掛けＴＶ１０に登録されている。上記の各ＴＶは通信部を備えており、壁掛けＴＶ１０は、各据え置きＴＶとの間で通信を行う。
【００１８】
住居１００一帯に地震が発生すると、壁掛けＴＶ１０および据え置きＴＶ２０〜４０は、自身が備える加速度センサ（図せず）により、地震による振動を検出する。
【００１９】
また、壁掛けＴＶ１０は、地震による振動を検出すると、据え置きＴＶ２０〜４０からその状態情報（転倒の有無、および、電源がオン（通常動作状態）になっているかオフ（スタンバイ状態）になっているかを示す情報）を取得するようになっている。
【００２０】
なお、本実施形態では、壁掛けＴＶ１０に登録される装置として、据え置きＴＶ２０〜４０を示したが、本発明はこれに制限されない。例えば、据え置きＴＶ２０〜４０の前述の機能を備えていれば、壁掛けＴＶ１０に登録される装置は、電子レンジ、オーブントースター、ヒーター、オーディオ機器など任意の家電製品、並びに電子機器であってもよい。
【００２１】
以下、図２を参照して、本実施形態に係る壁掛けＴＶ１０の構成について説明する。
【００２２】
（壁掛けＴＶ１０の構成）
図２は、壁掛けＴＶ１０の要部構成を示すブロック図である。
【００２３】
図２に示すように、壁掛けＴＶ１０は、設置状態検出部１１、外乱検出部１２、機器状態情報取得部１３、受信部１４、ＥＷＳ放送信号受信部１５、機器状態判断部１６、表示制御部１７、表示部１８、操作入力部１８１、送信部１９および遠隔制御部２１を備えている。
【００２４】
設置状態検出部１１は、壁掛けＴＶ１０が壁掛け状態になっているかを検出する。
【００２５】
外乱検出部１２は、加速度センサ（図示せず）により地震による振動を検出する。
【００２６】
機器状態情報取得部１３は、壁掛けＴＶ１０が壁掛け状態になっていることを設置状態検出部１１が検出し、且つ、外乱検出部１２が地震による振動を検出した場合に、壁掛けＴＶ２０〜４０から状態情報を、受信部１４を介して取得する。
【００２７】
受信部１４は、チューナと、通信インタフェースと、から構成されている。受信部１４は、チューナを通じて放送信号を受信し、受信部１４は、通信インタフェースを通じて状態情報を受信する。
【００２８】
ＥＷＳ放送信号受信部１５は、受信部１４がＥＷＳ放送信号（緊急警報放送信号）を受信した場合に、受信部１４からＥＷＳ放送信号を取得し、ＥＷＳ放送の情報を表示部１８に表示する。
【００２９】
機器状態判断部１６は、外乱検出部１２が地震による振動を検出してから一定期間が経過するまでに、機器状態情報取得部１３から全据え置きＴＶの状態情報を取得したか否かを判定する。
【００３０】
機器状態判断部１６は、全据え置きＴＶの状態情報を取得したと判定した場合には全据え置きＴＶの状態情報を表示制御部１７に供給する一方、少なくとも一部の据え置きＴＶの状態情報を取得していないと判定した場合には、状態情報を取得していない各据え置きＴＶに対し、送信部１９を介して、状態情報の送信要求を送信する。
【００３１】
表示制御部１７は、各据え置きＴＶの状態情報を表示部１８に表示する。
【００３２】
表示部１８は、操作入力部１８１としても機能する、タッチパネル式のディスプレイである。
【００３３】
操作入力部１８１は、ユーザの操作を受け付けるタッチパネルである。
【００３４】
送信部１９は、各据え置きＴＶに対して状態情報の送信要求を送信するための通信インタフェースである。
【００３５】
遠隔制御部２１は、操作入力部１８１を介して、据え置きＴＶの電源をオフにする操作指示があったことを検出すると、その据え置きＴＶに対し、送信部１９を介して、電源をオフにするための信号を送信する。
【００３６】
（壁掛けＴＶ１０の動作）
次に、図３を参照して、壁掛けＴＶ１０の動作について説明する。図３は、壁掛けＴＶ１０の動作を示したシーケンス図である。
【００３７】
設置状態検出部１１は、定期的に、壁掛けＴＶ１０が壁掛け状態になっているか否かを検出する(ステップＳ１０１)。壁掛けＴＶ１０は、自身が壁掛け状態になっていることを検出した場合には、ステップＳ１０２以降の処理を行う。
【００３８】
大きな地震が発生した場合、ステップＳ１０２において、外乱検出部１２は、通常、地震による振動を検出する。地震による振動を検出すると、ステップＳ１０３において、壁掛けＴＶ１０は、緊急システムモードに移行する（ステップＳ１０３）。
【００３９】
一方、各据え置きＴＶも、大きな地震が発生すると、通常、地震による振動を検出する（ステップＳ２０１）。ただし、据え置きＴＶは、加速度センサの故障等の原因により、地震が発生しても、地震による振動を検出できないケースも稀に存在する。
【００４０】
据え置きＴＶは、地震による振動を検出すると、検出後の自身の状態を特定し、自身の状態を表す状態情報を生成する（ステップＳ２０２）。具体的には、地震による振動を検出すると、据え置きＴＶは、通常動作状態になっているかスタンバイ状態になっているかを特定するとともに、転倒状態になっているか否かを特定する。そして、据え置きＴＶは、通常動作状態になっているかスタンバイ状態になっているか、および、転倒状態になっているか否かを表す状態情報を生成する。
【００４１】
据え置きＴＶは、状態情報を生成すると、生成した状態情報を壁掛けＴＶ１０に送信する（ステップＳ２０３）。
【００４２】
ステップＳ１０４において、壁掛けＴＶ１０の機器状態情報取得部１３は、受信部１４を介して、据え置きＴＶからの状態情報を受信し、受信した状態情報を機器状態判断部１６に供給する。
【００４３】
機器状態判断部１６は、壁掛けＴＶ１０が振動を検出してから一定期間が経過するまでに、壁掛けＴＶ１０に登録されている全据え置きＴＶから状態情報を取得したか否かを判定する（ステップＳ１０５）。
【００４４】
機器状態判断部１６が全据え置きＴＶから状態情報を取得したと判定した場合には、壁掛けＴＶ１０はステップＳ１０８に進む。
【００４５】
一方、機器状態判断部１６は、少なくとも一部の据え置きＴＶから状態情報を取得していないと判定した場合には、送信部１９を介して、該据え置きＴＶに対し、状態情報の送信要求（リクエスト信号）を送信する（ステップＳ１０６）。
【００４６】
ステップＳ２０４にて送信要求を受信した据え置きＴＶは、自身の状態を表す状態情報を生成し、生成した状態情報を壁掛けＴＶ１０に送信する（ステップＳ２０５）。
【００４７】
ステップＳ１０７において、壁掛けＴＶ１０の機器状態情報取得部１３は、受信部１４を介して上記一部の据え置きＴＶからの状態情報を受信し、受信した状態情報を機器状態判断部１６に供給する。
【００４８】
ステップＳ１０８において、機器状態判断部１６は全据え置きＴＶの状態情報を表示制御部１７に供給し、表示制御部１７は、全据え置きＴＶの状態情報を表示部１８に表示する。具体的には、表示制御部１７は、各据え置きＴＶについて、その据え置きＴＶが通常動作状態になっているかスタンバイ状態になっているか、および、その据え置きＴＶが転倒状態になっているか否かを示した状態表示画面を表示する。
【００４９】
図６は、状態表示画面の一例を概略的に示した図である。図６の状態表示画面は、据え置きＴＶ２０〜４０が転倒状態になっており、据え置きＴＶ２０および３０がスタンバイ状態になっており、据え置きＴＶ４０が通常動作状態になっていることを示している。すなわち、同図中の「異常」という文字列（同図中で符号Ｘが付された文字列）は転倒状態を示しており、“ＯＦＦ”という文字列（同図中で符号Ｚが付された文字列）が円で囲まれていることはスタンバイ状態を示しており、“ＯＮ”という文字列（同図中で符号Ｙが付された文字列）が円で囲まれていることは通常動作状態を示している。
【００５０】
なお、壁掛けＴＶ１０は、通常動作状態になっている各据え置きＴＶ（図６の例は、据え置きＴＶ４０）について、“ＯＦＦ”という文字列（図６の例では、“ＯＦＦ”という３つの文字列のうちの左下の文字列）に対するタッチ操作を受け付け可能になっている。
【００５１】
操作入力部１８１が“ＯＦＦ”という文字列に対するタッチ操作を受け付けた場合（ステップＳ１０９）、遠隔制御部２１は、対応する据え置きＴＶ（図６の例では、据え置きＴＶ４０）に対して、電源ＯＦＦ通知を送信する。
【００５２】
電源ＯＦＦ通知を受信した据え置きＴＶは、自身の電源をＯＦＦにする（ステップＳ２０６）。電源ＯＦＦ通知を受信した据え置きＴＶは、例えば、スタンバイ状態に移行してもよいし、主電源オフ状態（すなわち、電力消費が略ゼロの状態）に移行してもよい。
【００５３】
なお、状態情報を表示した後に、ＥＷＳ放送信号受信部１５が受信部１４を介してＥＷＳ放送を受信した場合には、壁掛けＴＶ１０は、状態表示画面の表示を継続しながら、ＥＷＳ放送番組の映像を表示することになる（ステップＳ１１０）。
【００５４】
以上、壁掛けＴＶ１０の動作について説明した。
【００５５】
なお、ステップＳ１０６における送信要求の送信先となった据え置きＴＶは、何らかの理由（例えば、転倒による故障）により、送信要求に応答しないことも考えられる。このことに鑑みて、壁掛けＴＶ１０は、ステップＳ１０６における送信要求の送信先である据え置きＴＶが一定時間内に状態情報を送信して来ない場合には、ステップＳ１０８において、状態情報を送信してきた各据え置きＴＶの状態情報を表示するとともに、状態情報を送信して来なかった据え置きＴＶについて「状態確認不可」という文字列を表示してもよい。
【００５６】
（壁掛けＴＶ１０の利点）
以上のように、壁掛けＴＶ１０は、１台以上の他の据え置きＴＶの通信が可能であり、壁掛けＴＶ１０は、設置状態検出部１１、外乱検出部１２および表示制御部１７を備えている。
【００５７】
設置状態検出部１１は、自身が壁に固定されているか否か（すなわち、壁掛け状態にあるか否か）を判定する。また、外乱検出部１２は、地震による振動を検出する。
【００５８】
壁掛けＴＶ１０が壁掛け状態にあると設置状態検出部１１が判定した場合であって、外乱検出部１２が地震による振動を検出した場合に、表示制御部１７は、各据え置きＴＶの現在の状態情報（通常動作状態およびスタンバイ状態のいずれの状態にあるか、および、転倒状態にあるか否かを示す情報）を据え置きＴＶから受信して表示する。
【００５９】
また、前述のように、壁掛けＴＶ１０は、据え置きＴＶ以外の他の家電機器を壁掛けＴＶ１０に登録した場合には、他の家電機器の状態情報を表示することも可能である。
【００６０】
したがって、壁掛けＴＶ１０は、地震発生時の家具等が転倒した状況において、家電機器が設置された各場所へ移動するという危険を冒すことなくユーザが各家電機器の状態を略確実に把握することができる。
【００６１】
なお、本実施形態では、ユーザは、壁掛けＴＶ１０を用いて、転倒状態にあるような危険な状態の家電機器の電源をリモート操作によりオフにすることができるが、壁掛けＴＶ１０は、リモート操作の機能を備えていなくともよい。この場合であっても、ユーザは、火災による２次災害を防ぐためには、危険な状態の家電機器が置かれている部屋に移動してその家電機器の電源を切ればよく、家電機器が置かれている全ての部屋に移動する必要はない。
【００６２】
〔実施形態２〕
本発明の他の実施形態について、図４に基づいて説明すれば、以下のとおりである。なお、本実施形態に係る壁掛けＴＶ１０は、実施形態１に係る壁掛けＴＶ１０と同様の構成を有しているので、部材の説明は省略する。
【００６３】
本実施形態では、実施形態１と異なり、据え置きＴＶは、地震による振動を検出しても、振動の検出をトリガとして状態情報を壁掛けＴＶ１０に送信するようには構成されていない。すなわち、本実施形態では、据え置きＴＶが状態情報を壁掛けＴＶ１０に送信するのは、壁掛けＴＶ１０からのリクエストを受けた場合に限られている。
【００６４】
（壁掛けＴＶ１０の動作）
以下、本実施形態に係る壁掛けＴＶ１０の動作について図４を参照しながら説明する。図４は、本実施形態に係る壁掛けＴＶ１０の動作を示したシーケンス図である。
【００６５】
ステップＳ１０１〜ステップＳ１０３は、実施形態１のステップＳ１０１〜ステップＳ１０３と同じ工程であるため、その説明は省略する。
【００６６】
また、各据え置きＴＶは、地震が発生すると、通常、地震による振動を検出する（ステップＳ２０１）。ステップＳ２０１の後、据え置きＴＶは、自機がスタンバイ状態になっているか否かを判定する（ステップＳ２０７）。据え置きＴＶは、自機がスタンバイ状態になっていると判定した場合には以降は何も処理を行わないが、自機がスタンバイ状態になっていないと判定した場合には、しばらくの間、通常の動作を一時停止して、状態情報の送信要求（リクエスト信号）を待ち受けるようになっている。
【００６７】
一方、壁掛けＴＶ１０では、ステップＳ１０３の後、機器状態判断部１６は、送信部１９を介して、壁掛けＴＶ１０に登録されている各据え置きＴＶに対し、状態情報の送信要求を送信する（ステップＳ１０６）。
【００６８】
ステップＳ２０４にて送信要求を受信した各据え置きＴＶは、自身の状態を表す状態情報を生成し、生成した状態情報を壁掛けＴＶ１０に送信する（ステップＳ２０５）。
【００６９】
ステップＳ１０７’において、壁掛けＴＶ１０の機器状態情報取得部１３は、受信部１４を介して各据え置きＴＶからの状態情報を受信し、受信した状態情報を機器状態判断部１６に供給する。
【００７０】
ステップＳ１０８において、機器状態判断部１６は全据え置きＴＶの状態情報を表示制御部１７に供給し、表示制御部１７は、全据え置きＴＶの状態情報を表示部１８に表示する。具体的には、表示制御部１７は、各据え置きＴＶについて、その据え置きＴＶが通常動作状態になっているかスタンバイ状態になっているか、および、その据え置きＴＶが転倒状態になっているか否かを示した状態表示画面を表示する。
【００７１】
以降のステップＳ１０９およびステップＳ１１０は、実施形態１のステップＳ１０９およびステップＳ１１０と同じ工程であるので、その説明を省略する。
【００７２】
〔実施形態３〕
以下、本実施形態に係る壁掛けＴＶ１０の動作について図５を参照しながら説明する。図５は、本実施形態に係る壁掛けＴＶ１０の動作を示したシーケンス図である。なお、本実施形態に係る壁掛けＴＶ１０も、実施形態１および実施形態２に係る壁掛けＴＶ１０と同様の構成を有しているので、部材の説明は省略する。
【００７３】
なお、以下では、壁掛けＴＶ１０において振動が検出されず、据え置きＴＶで振動が検出されたことを前提に説明を行う。
【００７４】
（壁掛けＴＶ１０の動作）
設置状態検出部１１は、定期的に、壁掛けＴＶ１０が壁掛け状態になっているか否かを検出する(ステップＳ１０１)。壁掛けＴＶ１０は、自身が壁掛け状態になっていることを検出した場合には、以降のＳ１０４、Ｓ１１１〜Ｓ１１３の処理を行う。
【００７５】
据え置きＴＶは、外乱による振動（地震や子供の悪戯等を原因とする振動）を検出すると（ステップＳ２０１）、自機の状態を示す状態情報を生成し（ステップＳ２０２）、生成した状態情報を壁掛けＴＶ１０に送信する（ステップＳ２０３）。
【００７６】
ステップＳ１０４において、外乱検出部１２が振動を検出していない状態で、機器状態情報取得部１３が据え置きＴＶからの状態情報を受信すると（ステップＳ１０４）、機器状態情報取得部１３から状態情報を取得した機器状態判断部１６は、ＥＷＳ放送信号受信部１５がＥＷＳ放送を一定期間内に受信したか否かを確認する（ステップＳ１１１）。ここで、一定期間とは、壁掛けＴＶ１０が状態情報を受信してからの一定期間である。
【００７７】
ステップＳ１１１において、機器状態判断部１６が一定期間内にＥＷＳ放送を受信した（すなわち、ＥＷＳ放送が配信されている）ことを確認した場合には、壁掛けＴＶ１０は、緊急システムモードに移行する（ステップＳ１０３）。そして、壁掛けＴＶ１０は、ステップＳ１０３の後、図３のステップＳ１０５〜Ｓ１１０の処理を行う。なお、図３のステップＳ１０５〜Ｓ１１０の処理の詳細については、実施形態１において説明したので、ここでは説明を省略する。
【００７８】
一方、ステップＳ１１１において、機器状態判断部１６が一定期間内にＥＷＳ放送を受信しなかった（すなわち、ＥＷＳ放送が配信されていない）ことを確認した場合には、壁掛けＴＶ１０は、通常モードの動作を継続する。
【００７９】
以上、本実施形態に係る壁掛けＴＶ１０の動作について説明した。
【００８０】
以上のように、各据え置きＴＶは、外乱による振動を検出した場合に状態情報を壁掛けＴＶ１０に送信する。換言すれば、据え置きＴＶからの状態情報は、その据え置きＴＶが振動を検出した旨を示す情報であるとも言える。
【００８１】
また、壁掛けＴＶ１０は、状態情報を受信してからの一定期間内に（すなわち、状態情報の受信時と同時期に）緊急警報放送を受信した場合には、上記外乱による振動は地震による振動であると判断して、緊急システムモードに移行する。
【００８２】
したがって、本実施形態に係る壁掛けＴＶ１０は、地震の発生ではなく子供の悪戯等により据え置きＴＶが振動を検出した場合には、緊急システムモードに移行しない。すなわち、本実施形態に係る壁掛けＴＶ１０は、地震が発生していないにも関わらず緊急システムモードに移行して各据え置きＴＶの状態情報を表示する、という無駄な処理を行わないことになる。また、ＥＷＳ放送が配信される程の地震が発生した場合、本実施形態に係る壁掛けＴＶ１０には、自身に内蔵されている加速度センサにより地震による振動を検出できなかった場合であっても、他の据え置きＴＶが地震による振動を検出したときには、各据え置きＴＶの状態情報を表示することができるという利点がある。
【００８３】
〔まとめ〕
本発明の態様１に係る表示装置（壁掛けテレビ１０）は、１台以上の他の装置（据え置きテレビ２０、据え置きテレビ３０および据え置きテレビ４０）との通信が可能な表示装置において、自装置が物体（壁）に固定されているか否かを判定する判定手段（設置状態検出部１１）と、地震による振動を検出する検出手段（外乱検出部１２）と、自装置が上記物体に固定されていると判定した場合であって、尚且つ、上記振動を検出した場合に、上記１台以上の他の装置の各々について該装置を送信元とする状態情報であって該装置の現在の状態を示す状態情報を表示部（表示部１８）に表示する表示制御手段（表示制御部１７）と、を備えている。
【００８４】
上記の構成によれば、物体に固定され転倒などの虞の無い上記表示装置が、地震による振動を検知した場合、該地震の後に他の装置が如何なる状態であるかについての情報を収集して表示する。
【００８５】
これにより、表示装置は、地震が発生した後において他の各装置が正常な状態を保っているか否かに関する情報をユーザに略確実に知らせることができる。よって、表示装置のユーザは、他の装置が設置されていた各場所まで移動するという危険を冒すことなく、他の各装置の状態を略確実に把握することができる。
【００８６】
また、本発明の態様１に係る表示装置の表示方法は、１台以上の他の装置との通信が可能な表示装置の表示方法であって、自装置が物体に固定されているか否かを判定する判定ステップ（Ｓ１０１）と、地震による振動を検出する検出ステップ（Ｓ１０２）と、自装置が上記物体に固定されていると判定した場合であって、尚且つ、上記振動を検出した場合に、上記１台以上の他の装置の各々について該装置を送信元とする状態情報であって該装置の現在の状態を示す状態情報を表示部に表示する表示制御ステップ（Ｓ１０８）と、を含んでいる。
【００８７】
上記の構成によれば、上記表示装置の表示方法は、上記表示装置と同様の作用効果を奏する。
【００８８】
本発明の態様２に係る表示装置は、上記態様１において、上記他の装置を送信元とする状態情報には、該装置の電源がオンになっているか否かを示す情報、および、該装置が転倒しているか否かを示す情報のうちの一方または両方の情報が含まれてもよい。
【００８９】
上記の構成によれば、表示装置は、地震が発生した後において、他の装置の電源がＯＮなのかＯＦＦなのか、および、転倒しているか否か、の少なくともいずれか一方の情報を収集する。
【００９０】
これにより、地震発生後において、上記表示装置は、他の装置が発煙・火災などの原因となり得る状態であるか否か、をユーザに知らせることができる。
【００９１】
本発明の態様３に係る表示装置は、上記態様１または２において、上記他の装置は、外乱による振動を検出した場合に、振動を検出した旨を示す情報を上記表示装置に送信するように構成されている装置であり、上記検出手段は、緊急警報放送（ＥＷＳ放送）と上記振動を検出した旨を示す情報とを同時期に受信した場合に、上記外乱による振動を上記地震による振動として検出するように構成されてもよい。
【００９２】
上記の構成によれば、表示装置は、他の装置が振動を検出し、尚且つ、緊急警報放送を受信する場合に、他の装置が検出した振動は地震による振動であると判断する。
【００９３】
したがって、上記表示装置は、他の装置が子供の悪戯に起因する振動を検出した場合には、上記１台以上の他の装置の状態情報を収集して表示しない。これにより、上記表示装置には、地震が発生していないにも関わらず各装置から状態情報を収集して表示するという不具合が生じないという利点がある。
【００９４】
本発明の態様４に係る表示装置は、上記態様１から３において、上記表示制御手段は、上記他の装置の状態情報とともに、該装置の電源をオフにするための操作オブジェクトを上記表示部に表示するように構成され、上記操作オブジェクトがユーザによって操作されたことを検出した場合に、該装置の電源をオフにする遠隔制御手段をさらに備えていてもよい。
【００９５】
上記の構成によれば、上記表示装置は、他の装置の電源を遠隔制御によりオフにする操作をユーザから受け付けることが可能である。したがって、上記表示装置は、地震発生時の動き回るのが危険な状況において、ユーザが電源をオフにしようとする各装置の傍まで移動することなく各装置をオフにすることを可能にするというさらなる効果を奏する。
【００９６】
本発明の態様５に係る表示装置は、上記態様１から４において、自装置が上記物体に固定されていると判定した場合であって、尚且つ、上記振動を検出した場合に、上記他の装置に対し、該装置の状態情報を送信するように要求するリクエスト信号を送信する送信手段をさらに備えていてもよい。
【００９７】
また、本発明の態様６に係る表示装置は、上記態様１から５において、壁掛け機構を備えていてもよい。
【００９８】
本発明の各態様に係る表示装置は、コンピュータによって実現してもよく、この場合には、コンピュータを上記表示装置が備える各手段として動作させることにより上記表示装置をコンピュータにて実現させるプログラム、およびそれを記録したコンピュータ読み取り可能な記録媒体も、本発明の範疇に入る。
【００９９】
（プログラム、記憶媒体）
壁掛けテレビ１０の各ブロックは、集積回路（ＩＣチップ）上に形成された論理回路によってハードウェア的に実現してもよいし、ＣＰＵ（Central Processing Unit）を用いてソフトウェア的に実現してもよい。
【０１００】
後者の場合、壁掛けテレビ１０は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである壁掛けテレビ１０の制御プログラムのプログラムコード（実行形式プログラム、中間コードプログラム、ソースプログラム）をコンピュータで読み取り可能に記録した記録媒体を、各装置に供給し、そのコンピュータ（またはＣＰＵやＭＰＵ）が記録媒体に記録されているプログラムコードを読み出し実行することによっても、達成可能である。
【０１０１】
上記記録媒体としては、非一時的な記録媒体を用いることができる。例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１０２】
また、上記プログラムコードは、通信ネットワークを介して壁掛けテレビ１０に供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０１０３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１０４】
本発明は、壁掛けテレビに好適に利用することができる。
【符号の説明】
【０１０５】
１０  壁掛けテレビ（表示装置）
１１  設置状態検出部（判定手段）
１２  外乱検出部（検出手段）
１３  機器状態情報取得部
１４  受信部
１５  ＥＷＳ放送信号受信部
１６  機器状態判断部
１７  表示制御部（表示制御手段）
１８  表示部
１９  送信部
２１  遠隔制御部（遠隔制御手段）
２０、３０、４０  据え置きテレビ（他の装置）
【図１】
2014187661.tif 000003
【図２】
2014187661.tif 000004
【図３】
2014187661.tif 000005
【図４】
2014187661.tif 000006
【図５】
2014187661.tif 000007
【図６】
2014187661.tif 000008